(57)【要約】【課題】  スピニングリールの発音機構において、凹凸部の回転半径が大きい場合にもスプールの回転に影響を及ぼすことなく、大きな歯切れがよい音を出すようにする。【解決手段】  ドラグ発音機構７７は、スプールに対して回転不能に装着されたカバー部材９と、スプール軸に対して回転不能に装着された第１ディスク７３ａとを有している。カバー部材９は、内周部に形成されスプールの回転方向に間隔を隔てて配置された複数の凹凸部８２を有している。第１ディスク７３ａは、後面にねじ止め装着された保持部材８３と、一端が保持部材８３に固定されたコイルばね８５と、基端がコイルばね８５に固定され先端が凹凸部８２に接触可能に配置されたピン部材８４とを有している。ここでは、スプールが回転したときコイルばね８５が凹凸部８２の回転方向に撓み、ピン部材８４が凹凸部８２に接触を繰り返して発音するようになっている。【選択図】      図８
2006217849.tif 000002
【特許請求の範囲】
【請求項１】
釣り糸の巻き取り及び繰り出しを行うスプールと、前記スプールが装着されるスプール軸との相対回転により発音するスピニングリールの発音機構であって、
前記スプールに対して回転不能に設けられ、前記スプールの回転方向に間隔を隔てて配置された複数の凹凸部を有する第１部材と、
前記スプール軸に対して回転不能に装着された保持部材と、一端が前記保持部材に固定されたコイルばねと、基端が前記コイルばねに固定され先端が前記凹凸部に接触可能に配置されたピン部材とを有し、前記スプールが回転したとき前記コイルばねが前記凹凸部の回転方向に撓み前記ピン部材が前記凹凸部に接触を繰り返して発音する第２部材と、
を備えたスピニングリールの発音機構。
【請求項２】
前記第１部材は、外周に前記釣り糸が巻きつけられ、前記スプールを構成する糸巻胴部である、請求項１に記載のスピニングリールの発音機構。
【請求項３】
前記第１部材は、外周に前記釣り糸が巻きつけられる糸巻胴部の後端側に前記糸巻胴部より大径に設けられ、前記スプールを構成するスカート部である、請求項１に記載のスピニングリールの発音機構。
【請求項４】
前記第１部材は、前記スプールに対して回転不能に装着された筒状部材である、請求項１に記載のスピニングリールの発音機構。
【請求項５】
前記第１部材は、前記スプールの内部に配置されたドラグ機構の外周部を覆うドラグカバーである、請求項４に記載のスピニングリールの発音機構。
【請求項６】
前記第２部材は、前記スプール軸に対して回転不能に装着された環状部材である、請求項１から５のいずれか１項に記載のスピニングリールの発音機構。
【請求項７】
前記第２部材は、前記スプールの内部に配置された前記ドラグ機構を構成するドラグディスクである、請求項６に記載のスピニングリールの発音機構。
【請求項８】
前記複数の凹凸部は、前記第１部材の内周部に形成されている、請求項１から７のいずれか１項に記載のスピニングリールの発音機構。
【請求項９】
前記保持部材は、前記第２部材の後端面にねじ止め装着されている、請求項１から８のいずれか１項に記載のスピニングリールの発音機構。
【請求項１０】
前記保持部材は、前記コイルばねの基端が装着される筒状部材である、請求項１から９のいずれか１項に記載のスピニングリールの発音機構。
【請求項１１】
前記保持部材は、前記コイルばねの一端が係止可能な係止突起を有している、請求項１から１０のいずれか１項に記載のスピニングリールの発音機構。
【請求項１２】
前記保持部材は、合成樹脂製部材である、請求項１から１１のいずれか１項に記載のスピニングリールの発音機構。
【請求項１３】
前記ピン部材は、先端部が略球形状となるように形成された硬質部材である、請求項１から１２のいずれか１項に記載のスピニングリールの発音機構。
【請求項１４】
釣り糸の巻き取り及び繰り出しを行うスプールと、前記スプールが装着されるスプール軸との相対回転により発音するスピニングリールの発音機構であって、
前記スプール軸に対して回転不能に装着され、前記スプールの回転方向に間隔を隔てて配置された複数の凹凸部を有する第１部材と、
前記スプールに対して回転不能に設けられた保持部材と、一端が前記保持部材に固定されたコイルばねと、基端が前記コイルばねに固定され先端が前記凹凸部に接触可能に配置されたピン部材とを有し、前記スプールが回転したとき前記コイルばねが前記凹凸部の回転方向に撓み前記ピン部材が前記凹凸部に接触を繰り返して発音する第２部材と、
を備えたスピニングリールの発音機構。
【発明の詳細な説明】
【技術分野】
【０００１】
本発明は、発音機構、特に、スプールとスプール軸との相対回転により発音するスピニングリールの発音機構に関する。
【背景技術】
【０００２】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられる糸巻胴部と、糸巻胴部の後端部に設けられた大径筒状のスカート部とを備えている。糸巻胴部の後端部には、スプール軸に回転不能に装着され、スプールの後方への移動を規制するスプール受け部が配置されている。また、フロントドラグ型のスピニングリールでは、糸巻胴部の内部には、複数のドラグディスクからなるドラグ機構や、ドラグ機構作動時に発音する発音機構等を有している（たとえば、特許文献１参照）。
【０００３】
このような発音機構は、スプール軸に回転不能に装着されたドラグディスクの外周部に周方向に間隔を隔てて形成された複数の凹凸部と、ドラグディスク外周部とスプールの糸巻胴部内周部との間に進退可能に配置され凹凸部方向に向けて付勢されたピン部材とを有している。ここでは、スプールが回転したとき、ピン部材が凹凸部の略垂直方向に向けて接触を繰り返して発音するようになっている。この種の発音機構では、たとえば糸巻胴部の内部に圧縮装着されたばね部材によって、ピン部材が凹凸部の略垂直方向に向けて常に付勢された状態になっており、この付勢力によって大きな歯切れがよい音を出すようになっている。
【特許文献１】特開２００２−３４５３６８号公報
【発明の開示】
【発明が解決しようとする課題】
【０００４】
前記従来の発音機構は、スプールが回転したとき、ピン部材が凹凸部の略垂直方向に向けて接触を繰り返して発音するようになっている。しかし、この発音機構では、ピン部材の回転方向とピン部材の凹凸部方向への進退方向とが略直交するようになっているので、ピン部材が凹凸部の略垂直方向に接触するときに、凹凸部の回転方向に向かって力が作用する。このように凹凸部の回転方向に向かって力が作用すると、特に、凹凸部の回転半径が大きい場合には、スプールに対する回転抵抗が増大し、スプールの滑らかな回転を阻害するおそれが生じる。
【０００５】
本発明の課題は、スピニングリールの発音機構において、凹凸部の回転半径が大きい場合にもスプールの回転に影響を及ぼすことなく、大きな歯切れがよい音を出すようにすることにある。
【課題を解決するための手段】
【０００６】
発明１に係るスピニングリールの発音機構は、釣り糸の巻き取り及び繰り出しを行うスプールと、スプールが装着されるスプール軸との相対回転により発音するスピニングリールの発音機構であって、スプールに対して回転不能に設けられスプールの回転方向に間隔を隔てて配置された複数の凹凸部を有する第１部材と、保持部材とコイルばねとピン部材とを有しスプールが回転したときコイルばねが凹凸部の回転方向に撓みピン部材が凹凸部に接触を繰り返して発音する第２部材とを備えている。保持部材は、スプール軸に対して回転不能に装着されている。コイルばねは、一端が保持部材に固定されている。ピン部材は、基端がコイルばねに固定され、先端が凹凸部に接触可能に配置されている。
【０００７】
この発音機構では、スプールが回転したとき、コイルばねが凹凸部の回転方向に撓み、ピン部材が凹凸部のスプールの回転方向に向けて接触を繰り返して発音するようになっている。ここでは、ピン部材を凹凸部に接触させることにより、大きな歯切れがよい音を出すことができる。さらに、ここでは、コイルばねが撓んだとき凹凸部の回転方向とピン部材の進退方向とが同一方向になっているので、スプールに対する回転抵抗が減少し、スプールの回転に影響を及ぼしにくくなる。さらに、ここでは、凹凸部の回転半径を大きくすることができるので、凹凸部のピッチを細かくすることができ、このため大きな歯切れがよい音を出すことができる。したがって、凹凸部の回転半径が大きい場合にもスプールの回転に影響を及ぼすことなく、大きな歯切れがよい音を出すことができる。
【０００８】
発明２に係る発音機構は、発明１の発音機構において、第１部材は、外周に釣り糸が巻きつけられ、スプールを構成する糸巻胴部である。この場合、糸巻胴部に複数の凹凸部を形成することによって、発音機構全体を糸巻胴部の内部にコンパクトに配置できる。
【０００９】
発明３に係る発音機構は、発明１の発音機構において、第１部材は、外周に釣り糸が巻きつけられる糸巻胴部の後端側に糸巻胴部より大径に設けられ、スプールを構成するスカート部である。この場合、スカート部に複数の凹凸部を形成することによって、全体の部品点数を減少できる。
【００１０】
発明４に係る発音機構は、発明１の発音機構において、第１部材は、スプールに対して回転不能に装着された筒状部材である。この場合、たとえばスプールと材質の異なる筒状部材に複数の凹凸部を形成することによって、ピン部材が凹凸部に接触したときに、より大きな歯切れがよい音を出すことができる。
【００１１】
発明５に係る発音機構は、発明４の発音機構において、第１部材は、スプールの内部に配置されたドラグ機構の外周部を覆うドラグカバーである。この場合、第１部材をドラグカバーと兼用できる。
【００１２】
発明６に係る発音機構は、発明１から５のいずれかの発音機構において、第２部材は、スプール軸に対して回転不能に装着された環状部材である。この場合、たとえばスプール軸より大径になる別体の環状部材を設けることにより、保持部材の装着が容易になる。
【００１３】
発明７に係る発音機構は、発明６の発音機構において、第２部材は、スプールの内部に配置されたドラグ機構を構成するドラグディスクである。この場合、第２部材をドラグディスクと兼用できる。
【００１４】
発明８に係る発音機構は、発明１から７のいずれかの発音機構において、複数の凹凸部は、第１部材の内周部に形成されている。この場合、従来の発音機構の第１部材を転用できる。
【００１５】
発明９に係る発音機構は、発明１から８のいずれかの発音機構において、保持部材は、第２部材の後端面にねじ止め装着されている。この場合、ねじ部材によって保持部材の着脱を容易に行える。
【００１６】
発明１０に係る発音機構は、発明１から９のいずれかの発音機構において、保持部材は、コイルばねの基端が装着される筒状部材である。この場合、コイルばねの構造が簡素になる。
【００１７】
発明１１に係る発音機構は、発明１から１０のいずれかの発音機構において、保持部材は、コイルばねの一端が係止可能な係止突起を有している。この場合、コイルばねの係止が容易かつ確実になる。
【００１８】
発明１２に係る発音機構は、発明１から１１のいずれかの発音機構において、保持部材は、合成樹脂製部材である。この場合、保持部材全体を軽量化できる。
【００１９】
発明１３に係る発音機構は、発明１から１２のいずれかの発音機構において、ピン部材は、先端部が略球形状となるように形成された硬質部材である。この場合、ピン部材が凹凸部に接触したときに、さらに大きな歯切れがよい音を出すことができる。
【００２０】
発明１４に係るスピニングリールの発音機構は、釣り糸の巻き取り及び繰り出しを行うスプールと、スプールが装着されるスプール軸との相対回転により発音するスピニングリールの発音機構であって、スプール軸に対して回転不能に装着されスプールの回転方向に間隔を隔てて配置された複数の凹凸部を有する第１部材と、保持部材とコイルばねとピン部材とを有しスプールが回転したときコイルばねが凹凸部の回転方向に撓みピン部材が凹凸部に接触を繰り返して発音する第２部材とを備えている。保持部材は、スプールに対して回転不能に設けられている。コイルばねは、一端が保持部材に固定されている。ピン部材は、基端がコイルばねに固定され、先端が凹凸部に接触可能に配置されている。
【００２１】
この発音機構では、スプールが回転したとき、コイルばねが凹凸部の回転方向に撓み、ピン部材が凹凸部のスプールの回転方向に向けて接触を繰り返して発音するようになっている。ここでは、ピン部材を凹凸部に接触させることにより、大きな歯切れがよい音を出すことができる。さらに、ここでは、コイルばねが撓んだとき凹凸部の回転方向とピン部材の進退方向とが同一方向になっているので、スプールに対する回転抵抗が減少し、スプールの回転に影響を及ぼしにくくなる。したがって、スプールの回転に影響を及ぼすことなく、大きな歯切れがよい音を出すことができる。なお、発明１の発音機構では、スプールに対して回転不能に第１部材が設けられスプール軸に対して回転不能に第２部材が装着されていたが、発明１４の発音機構では、スプール軸に対して回転不能に第１部材が装着されスプールに対して回転不能に第２部材が設けられている。
【発明の効果】
【００２２】
本発明によれば、スピニングリールの発音機構において、スプールが回転したとき、コイルばねが凹凸部の回転方向に撓み、ピン部材が凹凸部のスプールの回転方向に向けて接触を繰り返して発音するようになっているので、凹凸部の回転半径が大きい場合にもスプールの回転に影響を及ぼすことなく、大きな歯切れがよい音を出すことができる。
【発明を実施するための最良の形態】
【００２３】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２４】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａの前部には、前方に突出する筒状部２ｃが一体形成されている。
【００２５】
ロータ駆動機構５は、ハンドル１が連結されたハンドル軸１０とともに回転するフェースギア１１と、このフェースギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。ピニオンギア１２の前部１２ａには所定長さの平行な面取り部１２ｂが形成されている。面取り部１２ｂは、ロータ３及び後述するワンウェイクラッチをピニオンギア１２に回転不能に連結するために形成されている。
【００２６】
オシレーティング機構６は、トラバースカム方式の機構であり、スプール４の中心部にドラグ機構８を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、図示しない減速機構を介してピニオンギア１２に噛み合っている。
【００２７】
ロータ３は、図２に示すように、円筒部３０と、円筒部３０の側方に互いに対向して設けられた第１及び第２ロータアーム３１、３２とを有している。円筒部３０と両ロータアーム３１、３２とは、たとえばアルミニウム合金製であり一体成形されている。
【００２８】
円筒部３０の前部には前壁３３が形成されており、前壁３３の中央部にはボス部３３ａが形成されている。ボス部３３ａの中心部には面取り部１２ｂに回転不能に係止される小判形状の貫通孔３３ｂが形成されており、この貫通孔３３ｂをピニオンギアの前部１２ａ及びスプール軸１５が貫通している。前壁３３の前部にナット１３が配置されており、ナット１３の内部には、スプール軸１５を回転自在に支持する軸受３５が配置されている。この軸受３５によりピニオンギア１２とスプール軸１５との間に隙間を形成している。これにより、スプール軸１５が撓んでもロータ３の回転に影響を与えにくくなり、ロータ３の回転が軽くなる。
【００２９】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００３０】
第２ロータアーム３２は、円筒部３０から外方に凸に湾曲して前方に延びている。第２ロータアーム３２は、円筒部３０から外方に凸に湾曲して前方に延びており、円筒部３０との接続部は円筒部３０の周方向に広がり湾曲している。第２ロータアーム３２の先端内周側には、第２ベール支持部材４２が揺動自在に装着されている。
【００３１】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００３２】
円筒部３０の内側において、リールボディ２ａの筒状部２ｃの内部にはロータ３の逆転を常時禁止するための逆転防止機構５０が配置されている。逆転防止機構５０は、図４に示すように、内輪５２が遊転するローラ型のワンウェイクラッチ５１を有している。ワンウェイクラッチ５１は、ピニオンギア１２に回転不能に係止された内輪５２と、内輪の外周側に隙間をあけて同芯に配置された外輪５３と、内輪５２と外輪５３とに接触可能に配置された複数のローラ５４と、ローラ５４を付勢して周方向に等間隔に配置するためのばね部材５８と、ばね部材５８を保持するばね保持部材５５とを有している。
【００３３】
内輪５２は、ピニオンギア１２に回転自在に装着された内輪本体５６と、内輪本体５６をピニオンギア１２に回転不能に連結するための連結部材５７とを有している。内輪本体５６は、大径部５６ａと小径部５６ｂとを有する段付き筒状部材である。大径部５６ａには、連結部材５７を回転不能に係止するための係止凹部５６ｃが形成されている。係止凹部５６ｃは、正面から見て略矩形の空間である。大径部５６ａの外周面はローラ５４が転動する精密加工された円形の転動面５６ｄである。小径部５６ｂの中心部には、円形の装着孔５６ｅが形成されている。装着孔５６ｅは、ピニオンギア１２の面取り部１２ｂが形成されていない部分に装着され、ピニオンギア１２に芯出しされた状態で装着されている。
連結部材５７は、外周部が略矩形の部材であり、中心にピニオンギア１２の面取り部１２ｂに回転不能に係止される小判形状の貫通孔５７ａが形成されている。連結部材５７の外周部は、略矩形形状であり、内輪本体５６の係止凹部５６ｃに係合して内輪本体５６を回転不能に係止する。これにより、内輪本体５６は、ピニオンギア１２と回転不能に連結される。
【００３４】
外輪５３は、リールボディ２ａの前部に回転不能に装着されており、その内周面には、ローラ５４に対してくさび効果を発揮するための湾曲した図示しないカム面が形成されている。
【００３５】
ばね保持部材５５は、ローラ５４を周方向に間隔を隔てて保持するばね部材５８を保持するものである。ばね部材５８は、ローラ５４を逆転許容方向に付勢して等間隔に配置し、ロータ３が糸繰り出し方向に付勢された状態から糸巻取方向に回転したときの逆転許容動作への応答を速くするために設けられている。
ワンウェイクラッチ５１の前方において、筒状部２ｃには、リールボディ２ａ内部への液体の浸入を防止するためのリップ付きのシール板５９が装着されている。シール板５９は、５角形状に折り曲げられた抜け止めばね６０により抜け止めされている。
【００３６】
スプール４は、図２に示すように、ロータ３の第１ロータアーム３１と第２ロータアーム３２との間に配置されている。スプール４は、図３及び図５に示すように、２つの軸受６３、６４によりスプール軸１５に回転自在に装着されたスプール本体７と、スプール本体７をスプール軸１５の先端に装着するドラグ機構８と、スプール本体７の後部を覆うカバー部材９と、第１及び第２シール手段としての第１及び第２シール部材６１、６２とを有している。
【００３７】
先端からロータ３の前方にかけてスプール軸１５の外周面には、ドラグ機構８を回転不能に係止するための平行な面取り部１５ａが形成されている。面取り部１５ａの先端部には、さらにドラグ機構８のドラグ力を調整操作するための後述するドラグ操作部７０が螺合する雄ねじ部１５ｂが形成されている。
【００３８】
また、スプール軸１５のロータ３の前方には、スプール４を回転自在に支持するとともに後述する第１摩擦部７１の後方への移動を規制するための第１支持部２５が装着されている。第１支持部２５は、筒状の支持部本体２６と、支持部本体２６の後方への移動を規制するとともに支持部本体２６をスプール軸１５に対して回転不能にする規制部２７とを有している。支持部本体２６は、軸受６３が装着された小径筒状の軸受装着部２６ａと、ドラグ機構８を回転不能に係止するために５角星形状に形成された大径の係止部２６ｂとを有している。軸受６３の外輪後面は、図示しない抜け止め部材により抜け止めされている。支持部本体２６は、スプール軸１５に回転自在に装着されており、スプール軸１５に径方向に沿ってねじ込まれた止めねじ２８によっても、スプール軸１５に回転転不能かつ軸方向移動不能に止められている。
【００３９】
規制部２７は、支持部本体２６に固定された３枚の規制ディスク７８、７９、８０を有している。規制ディスク７８は、第２シール部材６２を規制ディスク７９とで挟持する。規制ディスク７９は、規制ディスク７８より小径であり、第２シール部材６２が外周に装着される。規制ディスク７９は、中心にスプール軸１５の面取り部１５ａに回転不能に係止される小判形状の貫通孔７９ａを有している。規制ディスク８０は、規制ディスク７９より大径であり、中心にスプール軸１５の面取り部１５ａに回転不能に係止される小判形状の貫通孔８０ａを有している。また、規制ディスク８０は、スプール軸１５の面取り部１５ａの後端部に配置されており、スプール軸１５の面取り部１５ａと円形部分との段差により軸方向後方に移動不能に配置されている。これにより、支持部本体２６及び第１摩擦部７１のスプール軸方向後方への移動が規制される。これらの３枚の規制ディスク７８〜８０は、規制ディスク８０の後方から貫通して支持部本体２６の後面にねじ込まれた５本の皿ボルト８１により支持部本体２６に固定されている。この結果、支持部本体２６は、スプール軸１５に対してさらに強固に回転不能になる。
【００４０】
スプール軸１５のスプール本体７の内部には、スプール４を回転自在に支持するための第２支持部２９が装着されている。第２支持部２９は、スプール軸１５に軸方向移動自在に装着された略筒状の内側部材２９ａと、スプール本体７の内周部に固定された略筒状の外側部材２９ｂとを有しており、内側部材２９ａと外側部材２９ｂとの間に軸受６４が装着されている。内側部材２９ａは、後面にドラグ機構８を押圧するためのフランジ部２９ｃを有している。
【００４１】
外側部材２９ｂの前面中間部には、前方に突出する筒状のシール受け部２９ｄが形成されており、後述するドラグ操作部７０に装着されたリップ付きの第３シール部材４８の先端が接触している。また、外側部材２９ｂとスプール本体７との間にはＯリングからなる第４シール部材４９が装着されている。この第３シール部材４８と第４シール部材４９とによりスプール４の前方から内部への液体の浸入を防止する第３シール手段が構成される。ここで、外側部材２９ｂを設けるとともにシール受け部２９ｄを前面中間部に設けたのは、スプール本体７の後述する糸巻胴部７ａの径が変動しても外側部材２９ｂの形状や有無により変動を吸収できるようにするとともに、その径に応じてドラグ操作部７０と後述するドラグ収納空間６５との隙間が変動してもシール位置が変動しないようにしてドラグ操作部７０の互換性を維持するためである。すなわち、糸巻胴部７ａの径が小さくなった場合には、シール受け部ではなく糸巻胴部７ａの内周面に同じサイズの第３シール部材４８の先端を直接接触させることができる。
【００４２】
スプール本体７は、たとえばアルミニウム合金を鍛造成形して得られた大小２段の円筒状の部材であり、外周に釣り糸が巻かれる筒状の糸巻胴部７ａと、糸巻胴部７ａの前後に設けられた大径の前フランジ部７ｂ及び後フランジ部７ｃと、後フランジ部７ｃから後方に延びる筒状のスカート部７ｄとを有している。
【００４３】
糸巻胴部７ａの前側内部には、ドラグ機構８の後述する第２摩擦部７２を収納する筒状のドラグ収納空間６５が形成されている。ドラグ収納空間６５には、ドラグ機構８を回転不能に係止する１対の係止溝６５ａが軸方向に沿って形成されている。糸巻胴部７ａの後側面には、環状の肉盗み部７ｆが形成されている。この肉盗み部７ｆは、スプール４の軽量化を図るために形成されている。
【００４４】
前フランジ部７ｂは、糸巻胴部７ａと一体形成された内側フランジ部６６ａと、内側フランジ部６６ａの外周部に装着された、硬質セラミック製の外側フランジ部６６ｂとを有している。外側フランジ部６６ｂは、スプール４から放出される釣り糸との接触による傷付きや磨耗を防止するために設けられている。外側フランジ部６６ｂは、糸巻胴部７ａの前側内周部にねじ込み固定されたフランジ固定部材６７により内側フランジ部６６ａに固定されている。
【００４５】
後フランジ部７ｃは、前フランジ部７ｂより僅かに大径に糸巻胴部７ａと一体形成されている。後フランジ部７ｃの後面にはスカート部７ｄの内周側に間隔を隔てて筒状のドラグ収納部７ｅが後方に突出して形成されている。ドラグ収納部７ｅ内には、ドラグ機構８の後述する第１摩擦部７１が収納されている。ドラグ収納部７ｅの外周面には、カバー部材９をねじ込み固定するための雄ねじ部６８が形成されている。また、内周面には、第１摩擦部７１を回転不能に係止するための１対の係止溝６９が対向して形成されている。係止溝６９はスプール軸軸方向に沿って形成されている。
【００４６】
スカート部７ｄは、後フランジ部７ｃと一体形成され後フランジ部７ｃの外周部から後方に筒状に延びている。この延びた先端は、スプール４の前進端に移動したとき、ロータ３の円筒部３０の先端と僅かに重なる位置に配置される。
【００４７】
ドラグ機構８は、スプール本体７とスプール軸１５との間に装着され、スプール４にドラグ力を作用させるための機構である。ドラグ機構８は、ドラグ力を手で調整するためにスプール軸１５の先端に配置されたドラグ操作部７０と、ドラグ操作部７０により押圧される第１及び第２摩擦部７１、７２とを有している。
【００４８】
カバー部材９は、ドラグ操作部７０をスプール軸１５から外して、スプール４をスプール軸１５から取り外すとき、第１摩擦部７１をスプール本体７とともに着脱するために設けられている。カバー部材９は、ドラグ収納部７ｅの外周部に配置される第１円筒部９ａと、第１円筒部９ａから内方に延び第１摩擦部７１の後方に配置される円板部９ｂと、円板部９ｂから後方に延びる第２円筒部９ｃとを有している。第１円筒部９ａの内周面には、ドラグ収納部７ｅの外周面に形成された雄ねじ部６８に螺合する雌ねじ部９ｄと、雌ねじ部９ｄの後方に形成され後述するドラグ発音機構７７の複数の凹凸部８２とが形成されている。雌ねじ部９ｄの先端側には、ドラグ収納部７ｅの外周部との間に第１シール部材６１が装着されている。第２円筒部９ｃには、規制ディスク７９に装着された第２シール部材６２の先端が接触している。
【００４９】
カバー部材９の外周面とスカート部７ｄとの間には隙間が形成されており、この隙間にロータ３の円筒部３０の先端が配置可能である。これにより、スプール４が後退したときに、スプール４の後退位置をリール本体２側に近づけることができ、リールの前後長さをコンパクトに維持できる。
【００５０】
第１シール部材６１はＯリングからなり、カバー部材９の外周部とドラグ収納部７ｅとの隙間をシールし、カバー部材９の外周部から第１摩擦部７１への液体の浸入を防止する。第２シール部材６２は、先端に後方に向けて傾いたリップを有するシール部材である。第２シール部材６２は、カバー部材９の内周部とスプール軸１５との隙間をシールし、カバー部材９の内周部から第１摩擦部７１への液体の浸入を防止する。このように、２つのシール部材６１、６２により第１摩擦部７１がシールされているので、第１摩擦部７１や第２摩擦部７１に液体が侵入しにくくなり、水濡れによるドラグ力の変動が生じにくくなる。また、スプールの前部も第３シール部材４８や第４シール部材４９により液体の浸入が防止されているので、スプール４の前部から第２摩擦部７２や第１摩擦部７１へ液体が浸入しにくくなる。
【００５１】
ドラグ操作部７０は、ドラグ調整時に発音するドラグ調整発音機構７０ａと、スプール軸１５の先端に形成された雄ねじ部１５ｂに螺合するナット７０ｂと、ドラグ力を増減するコイルばね７０ｃとを内部に有している。ドラグ操作部７０は、スプール軸１５に対して回動することによりナット７０ｂをスプール軸１５に対して前後移動させる。このナット７０ｂの移動により、コイルばね７０ｃを伸縮させて第１摩擦部７１及び第２摩擦部７２への押圧力を変化させてドラグ力を調整する。ドラグ操作部７０の後部外周面には、前述したように第３シール部材４８が装着されており、これにより、スプール本体７内部への液体の浸入が防止される。第３シール部材４８は、前方に傾斜したリップを有するリップ付きの環状弾性体製のシール部材であり、止め輪４８ａにより抜け止めされている。
【００５２】
第１摩擦部７１は、スプール軸１５に対して回転不能な２枚の第１ディスク７３ａ、７３ｂと、第１ディスク７３ａ、７３ｂと押圧可能に交互に配置されスプール本体7に対して回転不能な第２ディスク７４ａ、７４ｂとを有している。また、第１摩擦部７１は、３枚の調整ワッシャ７６を介して規制部２７によりスプール軸方向後方への移動が規制されている。第１ディスク７３ａと第２ディスク７４ａの間及び第２ディスク７４ａと第１ディスク７４ｂの間には、たとえばカーボングラファイト製のドラグディスク９０が装着されている。第１摩擦部７１は、カバー部材９により覆われており、第１及び第２シール部材６１、６２により後方から内部への液体の浸入が防止されている。
【００５３】
第１ディスク７３ａ、７３ｂは、たとえばステンレス合金製の部材であり、第１支持部２５の支持部本体２６に形成された係止部２６ｂに係止される５角星形状の係止孔７３ｃを中心部に有している。これにより、第１ディスク７３ａ、７３ｂはスプール軸１５に対して回転不能であり、スプール軸１５はリール本体２に対して回転不能なためリール本体２に対して回転不能になる。第１ディスク７３ｃは、規制部２７に接触して後方への移動が規制されている。第１ディスク７３ａの後面には、後述するドラグ発音機構７７の保持部材８３が回転不能に装着されている。
【００５４】
第２ディスク７４ａは、たとえばステンレス合金製の部材であり、第２ディスク７４ｂは、たとえばカーボングラファイト製の部材である。これらの第１及び第２ディスク７４ａ、７４は、第１ディスク７３ａ、７３ｂと相対回転してドラグ力を発生するものである。第２ディスク７４ａ、７４ｂは係止溝６９に係止される耳部７４ｃを外周部に有し、内周部に第１支持部２５が貫通する貫通孔７４ｄを有している。これにより、第２ディスク７４ａ、７４ｂはスプール本体７に対して回転不能である。
【００５５】
第１ディスク７３ａの後面には、図３及び図７に示すように、ドラグ作動時に発音するドラグ発音機構７７が配置されている。ドラグ発音機構７７は、スプール４とスプール軸１５との相対回転により発音する機構である。
【００５６】
ドラグ発音機構７７は、図６、図８及び図９に示すように、スプール４に対して回転不能に装着されたカバー部材９（第１部材の一例）と、スプール軸１５に対して回転不能に装着された第１ディスク７３ａ（第２部材の一例）とを有している。カバー部材９は、内周部に形成され、スプール４の回転方向に間隔を隔てて配置された複数の凹凸部８２を有している。第１ディスク７３ａは、後面に回転不能にねじ止め装着された筒状の保持部材８３と、一端が保持部材８３に固定されたコイルばね８５と、基端がコイルばね８５に固定され先端が凹凸部８２に接触可能に配置されたピン部材８４とを有している。ここでは、スプール４が回転したときコイルばね８５が凹凸部８２の回転方向に撓み、ピン部材８４が凹凸部８２に接触を繰り返して発音するようになっている。
【００５７】
保持部材８３は、図６、図８及び図９に示すように、合成樹脂製の筒状部材であって、
コイルばね８５の先端部８５ａ側が外方に突出しコイルばね８５の基端部８５ｂ側が収納される略半円筒状の筒状部８３ａと、筒状部８３ａの両側に配置され第１ディスク７３ａの後面にねじ止め装着するための板状の取付部８３ｂと、筒状部８３ａの基端側内部において前端面から後方に向かって突出しコイルばね８５の基端部８５ｂが係止可能な係止突起８３ｃとを有している。
【００５８】
筒状部８３ａは、内部に略半円筒状の空間を有しており、コイルばね８５の直径よりやや大径となるように形成されている。取付部８３ｂは、第１ディスク７３ａの後面に接触する板状部材であり、図８及び図９に示すように、２つのねじ部材８３ｄによって第１ディスク７３ａに回転不能に固定されている。係止突起８３ｃは、コイルばね８５の基端部８５ｂを巻き付けて固定するためのものであり、筒状部８３ａの内部において前端面から後方に向かって突出している。係止突起８３ｃの先端部は、図９に示すように、筒状部８３ａの略半円筒部分の後端面との間に隙間が形成されており、この隙間からコイルばね８５の基端部８５ｂを挿入して係止する。
【００５９】
ピン部材８４は、図６及び図９に示すように、先端部が略球形状となるように形成された硬質部材であって、先端部が凹凸部８２に接触可能な略球形状の頭部８４ａと、頭部８４ａの基端側に小径となるように形成された軸部８４ｂと、軸部８４ｂの略中腹部に大径となるように形成され頭部８４ａの後端部に対向する面にコイルばね８５の先端部８５ａが係止される係止部８４ｃとを有している。頭部８４ａ、軸部８４ｂ及び係止部８４ｃは、硬質部材により一体成形されている。
【００６０】
コイルばね８５は、図６、図８及び図９に示すように、基端部８５ｂが係止突起８３ｃに係止され、かつ先端部８５ａにピン部材８４が装着固定された状態でピン部材８４が凹凸部８２に接触する位置になるように形成されている。すなわち、コイルばね８５は、係止部８４ｃ（先端部８５ａ）と係止突起８３ｃ（基端部８５ｂ）との間の距離が、自由長さとなるように形成されている。このため、コイルばね８５は、圧縮されていない状態（付勢力を有していない状態）で保持部材８３に装着され、保持部材８３から外方に露出した部分は、図８に示すように、凹凸部８２の回転方向（図８では左方向）に自由に撓むようになっている。ここでは、図８に示すように、スプール４の回転に伴ってカバー部材９の凹凸部８２が左方向に回転すると、コイルばね８５が左方向に撓み、コイルばね８５の先端部８５ａに固定されたピン部材８４が凹凸部８２に接触を繰り返して発音する。なお、図８ではスプール４が左方向に回転する場合を示したが、スプール４は右方向にも回転可能である。この場合には、コイルばね８５が右方向に撓み、コイルばね８５の先端部８５ａに固定されたピン部材８４が凹凸部８２に接触を繰り返して発音する。
【００６１】
第２摩擦部７２は、スプール軸１５に対して回転不能な２枚のたとえばステンレス合金製の第３ディスク８６ａ、８６ｂと、糸巻胴部７ａに対して回転不能な２枚の第４ディスク８７ａ、８７ｂとを有している。第３ディスク８６ａ、８６ｂと第４ディスク８７ａ、８７ｂとは交互に配置されており、その間には、カーボングラファイト製の３枚のドラグディスク８８ａ〜８８ｃが装着されている。第３ディスク８６ａは、第２支持部２９の内側部材２９ａに形成されたフランジ部２９ｃに対向して配置されており、スプール軸１５に形成された面取り部１５ａに係止される小判形状の貫通孔８６ｃが内周部に形成されている。第３ディスク８６ｂも同様な貫通孔８６ｃを有している。これにより第３ディスク８６ａ、８６ｂはスプール軸１５に対して回転不能になっている。第４ディスク８７ａ、８７ｂの外周部には、ドラグ収納空間６５に形成された係止溝６５ａに係合する耳部８７ｃが突出して形成されている。これにより第４ディスク８７ａ、８７ｂはスプール４に対して回転不能になっている。第４ディスク８７ａは、ステンレス合金製である。第４ディスク８７ｂは、たとえばカーボングラファイト製であり、ドラグ収納空間６５の壁部に接触可能であり、スプール本体７を後方に押圧する。
【００６２】
ここでは、２つの摩擦部７１、７２に複数のディスク７３ａ、７３ｂ、７４ａ、７４ｂ及び８６ａ、８６ｂ、８７ａ、８７ｂをそれぞれ設けたので、各摩擦部７１、７２のディスク枚数を多くすることができる。このため、第１摩擦部７１のディスクの枚数が制限されても第２摩擦部７２により十分なドラグ力を得やすくなる。
【００６３】
〔リールの操作及び動作〕
釣りを行う前に魚の大きさや種類に合わせてドラグ力を調整する。ドラグ力を調整するには、釣り糸の適宜の長さ繰り出し、釣り糸の先端に対象魚に応じた錘を装着する。そして、ドラグ操作部７０を回して適当なドラグ力を設定してハンドル１を回し、ドラグが作動することを確認する。ドラグ操作部７０をたとえ時計回りに回すとスプール軸１５に螺合するナット７０ｂによりドラグ操作部７０が後方に移動し、さらにコイルばね７０ｃを介して第２支持部２９の内側部材２９ａを押圧し、この押圧力が第２摩擦部７２に点達されるとともに、スプール本体７を介してさらに第１摩擦部７１に伝達される。これによりドラグ力が大きくなる。このとき、ドラグ調整発音機構７０ａが軽快なクリック音を発生する。ここでは、スプール本体７の後部の比較的大きな空間に第１摩擦部７１を配置したので、糸巻胴部７ａの径を小さくした深溝型のスプール４であっても、大きなドラグ力を得ることができる。
【００６４】
キャスティング時にはベールアーム４４を糸開放姿勢に反転させる。これにより第１ベール支持部材４０及び第２ベール支持部材４２は揺動する。この状態で釣り竿を握る手の人差し指で釣り糸を引っかけながら釣り竿をキャスティングする。すると釣り糸は仕掛けの重さにより勢いよく放出される。仕掛けが着水した後ハンドル１を糸巻取方向に回転させると、ロータ駆動機構５によりロータ３が糸巻取方向に回転する。ロータ３が回転すると、ベールアーム４４が図示しないベール反転機構により糸巻取位置に復帰しロータ３の逆転が禁止されているので釣り糸の放出が止まる。
【００６５】
釣り糸を巻き取る際には、ハンドル１を糸巻取方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。このとき、糸巻胴部７ａの径が前フランジ部７ｂ及び後フランジ部７ｃに比べて小径な深溝型のスプール４では、スプール全体の径を小さく維持して糸巻き量を多くすることができる。
【００６６】
仕掛けに魚がかかると、ドラグ機構８が作動することがある。ドラグ機構８が作動すると、第１摩擦部７１の第１ディスク７３ａ、７３ｂと第２ディスク７４ａ、７４ｂ及び第２摩擦部７２の第３ディスク８６ａ、８６ｂと第４ディスク８７ａ、８７ｂとの間でそれぞれ滑りが生じ、設定されたドラグ力で釣り糸が繰り出される。
【００６７】
釣りをしているときやリールを洗浄しているときに、リールが水濡れし、スカート部７ｄとロータ３の円筒部３０との隙間から液体が侵入することがある。しかし、カバー部材９の外周部及び内周部に第１及び第２シール部材６１、６２が装着されているので、後方から液体が浸入しても第１摩擦部７１の内部に液体が浸入することがない。
【００６８】
スプール４をスプール軸１５から外す場合には、ドラグ操作部７０を反時計回りに回転させる。すると、ドラグ操作部７０がスプール軸１５から外れて、スプール４をスプール軸１５から取り出すことができる。このとき、第１摩擦部７１は、後フランジ部７ｃに装着されたカバー部材９により覆われているので、軸受６３及びスプール本体７とともに第１支持部２５から外れる。また、第２摩擦部７２は、前部が第２支持部２９により覆われているので、軸受６４及び第２支持部２９とともにスプール軸１５から外れる。このように、ドラグ機構８は、スプール本体７とともに一体で着脱できる。したがって、スプール４の構成部品のうち、第１支持部２５と調整ワッシャ７６だけがスプール軸１５に残る。
【００６９】
このようなスピニングリールのドラグ発音機構７７では、スプール４が回転したとき、コイルばね８５が凹凸部８２の回転方向に撓み、ピン部材８４が凹凸部８２のスプール４回転方向に向けて接触を繰り返して発音するようになっている。ここでは、ピン部材８４を凹凸部８２に接触させることにより、大きな歯切れがよい音を出すことができる。また、ここでは、凹凸部８２の回転半径を大きくすることができるので、凹凸部８２のピッチを細かくすることができ、このため大きな歯切れがよい音を出すことができる。さらに、ここでは、コイルばね８５が撓んだとき凹凸部８２の回転方向とピン部材８４の進退方向とが同一方向になっているので、スプール４に対する回転抵抗が減少し、スプール４の回転に影響を及ぼしにくくすることができる。
【００７０】
〔他の実施形態〕
（ａ）  前記実施形態では、ドラグ機構８は、第１摩擦部７１及び第２摩擦部７２を有する、いわゆるダブルドラグ型のスピニングリールであったが、第２摩擦部７２のみを有するドラグ機構８であってもよい。なお、この場合には、第１摩擦部７１を有していないが、保持部材８３が装着される第１ディスク７３ａや、凹凸部８２が設けられるカバー部材９を有している必要がある。あるいは、第１ディスク７３ａを設けるかわりに、スプール軸１５に対して回転不能に装着された環状部材であってもよいし、カバー部材９を設けるかわりに、スプール４に対して回転不能に一体または別体で設けられた別の筒状部材であってもよい。たとえば、凹凸部８２を有するカバー部材９を設けるかわりに、スカート部７ｄの内周部に凹凸部８２を設ける構成にしてもよい。
【００７１】
（ｂ）  前記実施形態では、スプール４に対して回転不能に設けられたカバー部材９に凹凸部８２を設け、スプール軸１５に対して回転不能に装着された第１ディスク７３ａに保持部材８３を設けていたが、図１０及び図１１に示すように、スプール軸１５に対して回転不能に装着された第１ディスク７３ａ（第１部材の一例）に凹凸部８２を設け、スプール４に対して回転不能に設けられたカバー部材９（第２部材の一例）に保持部材８３を設ける構成にしてもよい。
【００７２】
（ｃ）  前記実施形態では、スプール４に対して回転不能に設けられたカバー部材９の内周部に凹凸部８２を設け、スプール軸１５に対して回転不能に装着された第１ディスク７３ａに保持部材８３を設けていたが、図１２に示すように、第１ディスク７３ａの後面に回転不能に装着した第１ディスク７３ｄ（第１部材の一例）の後面に周方向に沿って形成された凹凸部８２を設け、カバー部材９（第２部材の一例）の後部から後方に有底筒状に突出した保持部材８３を設けピン部材８４が前方に向く構成にしてもよい。
【００７３】
（ｄ）  前記実施形態では、保持部材８３は、筒状部８３ａ、取付部８３ｂ及び係止突起８３ｃを有する筒状部材であったが、保持部材８３の形状はこれに限定されるものではなく、たとえばコイルばね８５の基端部８５ｂを係止するのみの構成であってもよい。
【００７４】
（ｅ）  前記実施形態では、コイルばね８５は、圧縮されていない状態（付勢力を有していない状態）で保持部材８３に装着されていたが、コイルばね８５を圧縮状態（付勢力を有している状態）で保持部材８３に装着し、ピン部材８４を凹凸部８２方向に付勢するような構成にしてもよい。
【図面の簡単な説明】
【００７５】
【図１】本発明の一実施形態を採用したスピニングリールの左側面図。
【図２】前記スプールの左側面断面図。
【図３】前記スプールの拡大断面図。
【図４】逆転防止機構の分解斜視図。
【図５】前記スプールの分解斜視図。
【図６】ドラグ発音機構の拡大断面図。
【図７】前記スプールの背面図。
【図８】前記ドラグ発音機構の拡大背面図。
【図９】前記ドラグ発音機構の拡大断面図。
【図１０】他の実施形態の図３に相当する図。
【図１１】他の実施形態の図７に相当する図。
【図１２】他の実施形態の図３に相当する図。
【符号の説明】
【００７６】
２  リール本体
３  ロータ
４  スプール
７  スプール本体
７ａ  糸巻胴部
７ｂ  前フランジ部
７ｃ  後フランジ部
７ｄ  スカート部
７ｅ  ドラグ収納部
８  ドラグ機構
９  カバー部材
１５  スプール軸
７３ａ〜７３ｄ  第１ディスク
７７  ドラグ発音機構
８２  凹凸部
８３  保持部材
８３ａ  筒状部
８３ｂ  取付部
８３ｃ  係止突起
８３ｄ  ねじ部材
８４  ピン部材
８４ａ  頭部
８４ｂ  軸部
８４ｃ  係止部
８５  コイルばね
８５ａ  先端部
８５ｂ  基端部
【図１】
2006217849.tif 000003
【図２】
2006217849.tif 000004
【図３】
2006217849.tif 000005
【図４】
2006217849.tif 000006
【図５】
2006217849.tif 000007
【図６】
2006217849.tif 000008
【図７】
2006217849.tif 000009
【図８】
2006217849.tif 000010
【図９】
2006217849.tif 000011
【図１０】
2006217849.tif 000012
【図１１】
2006217849.tif 000013
【図１２】
2006217849.tif 000014